(57)【要約】【課題】  ケーブルが敷設されている管路の錆びによる切除部分の継ぎ替え補修の作業性の向上とコストダウンを達成できるようにする。【解決手段】  ケーブルＣが敷設されている管路Ｐにおいて、錆びが生じた管路１の切除部分は、その切除部分に臨む相対向した左右の両管路端部Ｐａ，Ｐａ間にわたって、柔軟性を有する合成樹脂製のカバー１により管状に継ぎ替えされ、カバー１の管路Ｐの周面上に接合した部分は管路Ｐにステンレスバンド２を用いて固定されている。【選択図】  図１
0003110216.tif 000002
【実用新案登録請求の範囲】
【請求項１】
ケーブルが敷設されている管路において、錆びが生じた管路の切除部分は、その切除部分に臨む相対向した左右の両管路端部間にわたって、柔軟性を有する合成樹脂製のカバーにより管状に継ぎ替えされ、このカバーの上記管路周面上に接合した部分は該管路にステンレスバンドを用いて固定されていることを特徴とする通信ケーブル等の管路補修部。
【請求項２】
カバーの相対向した両端縁部は突き合せ部として機能するために相対応した傾斜面に形成されて重合可能であることを特徴とする請求項１記載の通信ケーブル等の管路補修部。
【請求項３】
カバーの素材は低密度ポリエチレンであることを特徴とする請求項１または２記載の通信ケーブル等の管路補修部。
【請求項４】
カバーの両端縁部の突き合せ重合部分及び切除部分に臨む左右の両管路周面上に接合したカバーの両管状端部は締め付けテープによりそれぞれ固定されていることを特徴とする請求項１，２または３記載の通信ケーブル等の管路補修部。
【請求項５】
締め付けテープは防蝕・防水性の粘着テープであること特徴とする請求項４記載の通信ケーブル等の管路補修部。
【考案の詳細な説明】
【技術分野】
【０００１】  本考案は、通信ケーブル等が敷設された管路の錆び発生個所等を対象とする、通信ケーブル等の管路補修部に関する。
【考案の開示】
【考案が解決しようとする課題】
【０００２】  通信ケーブルを屋外に敷設するには、通常敷設する全長にわたってケーブルを収容して保護する管路（鋼管）が用いられている。この管路は、例えば河川を横切るために橋脚下に位置した敷設部分では、橋梁の継ぎ目等の隙間部分から漏れる汚れた雨水により錆び易く、管路は錆びの進行により腐食して収容されているケーブルに重大な影響を与えることは勿論、錆びは放置しておくと他の正常な管路側へ伝染するという不都合を生じる問題があった。【０００３】  この問題を解決するために、管路に錆びが発生すると、錆びが生じた初期の段階で錆び発生個所の管路を切除し、この切除部分を補修管により継ぎ替えするという補修方法が従来より行なわれていた。この従来方法によって管路補修部を構成するには、補修部材として結合用のつば部がそれぞれ設けられている一対の半割管（長さが１００〜６００ｍｍ、厚さが２ｍｍ程度である。）と、この半割管を管路の切除部分に管状にして装着した後に両半割管の鍔部分を締め付けて固定する固定具（ボルト・ナットや締め付けバンド）が一般に用いられている。半割管と固定具はいずれもステンレス製である。【０００４】  これらの補修部材は重量があり、一対の半割管を管路の切除部分に装着し、管状に形成してから固定具を用いて締め付け操作を行なう作業は煩雑であって、作業員の労力は大きくて作業性は悪いという問題があった。また、ステンレス製である補修部材、特に半割管は、管路の装着部分との間に径の変動があると、管路との適応性に乏しくて切除個所の管路への装着が困難になることは避けられず、予め径の異なるものを数組用意しておく必要があり、材質的にも高価である点と相俟ってコストアップになるという経済性の面からも問題があった。【０００５】  本考案はこのような問題を解決したものであって、その目的は、ポりエチレン等の柔軟性を有する合成樹脂製のカバーと締め付けテープを用いて、錆びによる補修個所となる管路の切除部分を容易かつ安定状態に補修し得ることは勿論、管路継ぎ替えの作業性を向上できるように改良した通信ケーブル等の管路補修部を提供することにある。
【課題を解決するための手段】
【０００６】  上記目的を達成するために、本考案の特徴とする通信ケーブル等の管路補修部は、ケーブルが敷設されている管路において、錆びが生じた管路の切除部分は、その切除部分に臨む相対向した左右の両管路端部間にわたって、柔軟性を有する合成樹脂製のカバーにより管状に継ぎ替えされ、このカバーの上記管路周面上に接合した部分は該管路にステンレスバンドを用いて固定されている構成である。【０００７】  この通信ケーブル等の管路補修部の構成において、カバーの相対向した両端縁部は安定した接合を果たすための突き合せ部として機能し、この突き合せ部は相対応した傾斜面に形成されて重合可能であることが好ましく、カバーの素材はポリエチレン、特に低密度ポリエチレンまたはこれと同効樹脂を用いるのが望ましい。また、カバーの装着状態をより緊密にするため、カバーの両端縁部の突き合せ重合部分及び切除部分に臨む左右の両管路周面上に接合したカバーの両管状端部は締め付けテープによりそれぞれ固定して実施され、この締め付けテープには防蝕・防水性の粘着テープを用いるのが好ましい。
【考案の効果】
【０００８】  本考案は上記の如くであって、補修部の構成材は合成樹脂製のカバーとステンレスバンドを用いるだけであるから、軽量で取り扱い易く補修作業の安全を図ることができる。また、カバーの両端縁部は傾斜面に形成されていることで突き合わせもしっかりと果たされ、カバーを管状に形成しながら管路の切除部分に容易に装着できる。更に、柔軟性を有する合成樹脂製のカバーは管路側の外径に変動があってもそれへの適応性があり、従来の管路補修部と異なって数組用意しておく不経済は完全に解消されることは勿論、素材が安価であることと相俟って大幅なコストダウンを達成できる。
【考案を実施するための最良の形態】
【０００９】  以下に、本考案の実施の一形態を図面を参照して説明する。１は柔軟性を有する合成樹脂製のカバーであって、例えば、低密度ポリエチレンのシート状のものである。カバー１は、通信ケブールＣが敷設されている管路Ｐの錆びが生じた切除部分に臨む相対向した左右の両管路端部Ｐａ，Ｐａ間にわたって、管状にして継ぎ替えされており、このカバー１の管路Ｐの周面上に接合した部分（図示の場合は両管路端部Ｐａ，Ｐａ寄りに臨んだ２個所）は、ステンレスバンド２（通常用いられているもの）を用いて、該管路Ｐに固定されている。【００１０】  カバー１の相対向した両端縁部１ａ，１ａは、カバー１を管状にしたときの突合せ部として機能しており、その両端縁部１ａ，１ａは、突合せによる接合を安定させるために相対応した傾斜面に形成されて重合する。なお、カバー１の縦横の寸法は管路Ｐの外径と管路Ｐの切除部分の長さに応じて設定されるが、図示の場合、例えば外径が６５ｍｍの管路Ｐに適用すると、カバー１の管状にした長さは撓みを考慮して２０００ｍｍが限度であり、厚さは３ｍｍ程度である。【００１１】  また、カバー１の装着状態をより緊密に維持するため、カバー１の両端縁部１ａ，１ａの突き合せ重合部分及び切除部分に臨む左右の両管路周面上に接合したカバー１の両管状端部１ｂ，１ｂは締め付けテープ３，４を用いてそれぞれ固定するようにして実施され、これらの締め付けテープ３，４は通常の締め付けテープを使用できるが、耐久性等の面からは防蝕・防水性の粘着テープを用いるのが好ましい。
【図面の簡単な説明】
【００１２】
【図１】  本考案の実施例の一形態を一部を切り欠いて示す正面図である。
【図２】  図１のＡ−Ａ線断面図である。
【符号の説明】
【００１３】  １はカバー
１ａは端縁部
１ｂは管状端部
２はステンレスバンド
３，４は締め付けテープ
Ｃは通信ケーブル
Ｐは管路
Ｐａは管路端部
【図１】
0003110216.tif 000003
【図２】
0003110216.tif 000004